(57)【要約】【課題】  通常は従来と同様に発光表示を行い、状況に応じて発光を伴わない省電力表示に切換えられるようにする。【解決手段】  光の射出量を画素ごとに制御して発光表示を行う第１の表示形態と、外光を透過する透過状態と反射する反射状態とを画素ごとに設定して表示を行う第２の表示形態とが可能な表示装置１００を備える。電源オン時には少なくとも第１の表示形態での表示を許可し、電源オフ時には、第１の表示形態での表示を禁止して第２の表示形態での表示を許可する。電源オフ時の表示内容は、カメラであれば撮影履歴や撮影条件等が挙げられる。【選択図】        図１７
2006208536.tif 000002
【特許請求の範囲】
【請求項１】
光の射出量を画素ごとに制御して発光表示を行う第１の表示形態と、外光を透過する透過状態と反射する反射状態とを画素ごとに設定して表示を行う第２の表示形態とが可能な表示装置と、
電源オン時には少なくとも前記第１の表示形態での表示を許可し、電源オフ時には、前記第１の表示形態での表示を不可として前記第２の表示形態での表示を許可する表示制御手段とを具備することを特徴とする表示装置付き電子機器。
【請求項２】
前記表示制御手段は、前記電源オフ時であって前記第２の表示形態における表示内容を更新するときに、当該第２の表示形態で表示を行う表示部に電力を供給することを特徴とする請求項１に記載の表示装置付き電子機器。
【請求項３】
前記表示制御手段は、電源オン時には前記第１の表示形態で表示を行い、電源のオフ操作がなされると、前記第２の表示形態に切換えて表示を行うことを特徴とする請求項１に記載の表示装置付き電子機器。
【請求項４】
前記表示制御手段は、前記第２の表示形態での表示時に電源のオン操作がなされると、前記第１の表示形態に切換えて表示を行うことを特徴とする請求項２に記載の表示装置付き電子機器。
【請求項５】
光の射出量を画素ごとに制御して発光表示を行う第１の表示形態と、外光を透過する透過状態と反射する反射状態とを画素ごとに設定して表示を行う第２の表示形態とが可能な表示装置と、
前記第１の表示形態での表示時に、何らの操作もなされない状態が所定時間継続すると、前記第２の表示形態に切換えて表示を行う表示制御手段とを具備することを特徴とする表示装置付き電子機器。
【請求項６】
光の射出量を画素ごとに制御して発光表示を行う第１の表示形態と、外光を透過する透過状態と反射する反射状態とを画素ごとに設定して表示を行う第２の表示形態とが可能な表示装置と、
前記第２の表示形態での表示時に何らかの操作が行われると、前記第１の表示形態に切換えて表示を行う表示制御手段とを具備することを特徴とする表示装置付き電子機器。
【請求項７】
光の射出量を画素ごとに制御して発光表示を行う第１の表示形態と、外光を透過する透過状態と反射する反射状態とを画素ごとに設定して表示を行う第２の表示形態とが可能な表示装置と、
動作モードを設定する設定手段と、
前記設定手段によって設定された動作モードに応じて、前記表示装置による表示形態を前記第１の表示形態と前記第２の表示形態とで切換える表示制御手段とを具備することを特徴とする表示装置付き電子機器。
【請求項８】
光の射出量を画素ごとに制御して発光表示を行う第１の表示形態と、外光を透過する透過状態と反射する反射状態とを画素ごとに設定して表示を行う第２の表示形態とが可能な表示装置と、
前記表示装置に表示する表示コンテンツに応じて、前記表示装置による表示形態を前記第１の表示形態と前記第２の表示形態とで切換える表示制御手段とを具備することを特徴とする表示装置付き電子機器。
【請求項９】
光の射出量を画素ごとに制御して発光表示を行う第１の表示形態と、外光を透過する透過状態と反射する反射状態とを画素ごとに設定して表示を行う第２の表示形態とが可能な表示装置と、
予め設定された時間帯では前記第２の表示形態による表示を不可として前記第１の表示形態による表示を許可し、それ以外の時間帯では前記第１の表示形態または前記第２の表示形態での表示を許可する表示制御手段とを具備することを特徴とする表示装置付き電子機器。
【請求項１０】
前記第１の表示形態における表示内容は画像を含むことを特徴とする請求項１〜９のいずれかに記載の表示装置付き電子機器。
【請求項１１】
前記第２の表示形態における表示内容は、日付、時刻、バッテリ残量、メニュー情報、ユーザの入力情報の少なくともいずれか１つを含むことを特徴とする請求項１〜１０のいずれかに記載の表示装置付き電子機器。
【請求項１２】
撮影機能を備え、前記第２の表示形態における表示内容は、撮影履歴、撮影条件、撮影画像の少なくともいずれか１つを含むことを特徴とする請求項１〜１０のいずれかに記載の表示装置付き電子機器。
【請求項１３】
通信機能を備え、前記第２の表示形態における表示内容は、通信により得た情報を含むことを特徴とする請求項１〜１０のいずれかに記載の表示装置付き電子機器。
【請求項１４】
前記第２の表示形態における表示内容を所定時間ごとに更新することを特徴とする請求項１１または１３に記載の表示装置付き電子機器。
【請求項１５】
前記第２の表示形態による表示は、同一内容の表示の継続に電力を要しないことを特徴とする請求項１〜１４のいずれかに記載の表示装置付き電子機器。
【請求項１６】
前記第１の表示形態による表示は、カラー表示が可能であることを特徴とする請求項１〜１５のいずれかに記載の表示装置付き電子機器。
【請求項１７】
前記表示装置は、光の射出量を画素ごとに制御して発光表示を行う第１の表示部と、外光を透過する透過状態と少なくとも一部を反射する反射状態とが画素ごとに設定可能とされ、透過領域と反射領域との組み合わせで表示を行う第２の表示部とを有し、前記第２の表示部の透過領域を通して前記第１の表示部を視認し得るよう該第１の表示部に該第２の表示部を積層して成り、前記第１の表示形態は、前記第１の表示部で表示を行うとともに、少なくともその表示領域に対応する前記第２の表示部の領域を前記透過領域とすることで達成され、前記第２の表示形態は、前記第２の表示部で表示を行うとともに、前記第１の表示部の全画素を非射出状態とすることで達成されることを特徴とする請求項１〜１６のいずれかに記載の表示装置付き電子機器。
【発明の詳細な説明】
【技術分野】
【０００１】
本発明は、画像やその他の表示が可能な表示装置を有する電子機器に関する。
【背景技術】
【０００２】
例えばデジタルカメラは、画像のフルカラー表示が可能な液晶モニタ（液晶表示装置）を有し、モニタをファインダ代わりに使用したり、撮影後の画像確認に用いている。また携帯電話機やＰＤＡなどにも同様の液晶モニタが設けられる。また近年では、表示素子として有機ＥＬ（エレクトロルミネッセンス）素子を用いたモニタも提案されている。これらはいずれも発光型の表示装置であり、光の射出量を画素ごとに任意に制御できるので、豊かな階調表現が可能である。
【０００３】
なお、液晶素子はそれ自体は発光しないため、バックライトを必要とする。例えば引用文献１の液晶表示装置は、バックライトとして有機ＥＬ素子を用いている。有機ＥＬ素子を表示素子として設けた場合は、素子自体が発光するためバックライトは不要である（例えば、特許文献２参照）。
【０００４】
一方、いわゆる電子ペーパーや電子ブックなどの表示装置として、コレステリック液晶やＰＮ液晶（ポリマーネットワーク液晶）を用いたものがある（例えば、特許文献３，４参照）。これらは、専ら外光を利用して表示を行うもので、画素ごとに透過状態／反射状態が切換可能である。反射状態の画素で拡散反射された外光は、例えばコレステリック液晶では黄色っぽく、ＰＮ液晶では白っぽく視認され、透過状態の画素を透過した外光は、液晶の下部に設けた黒色板等の吸収層で吸収されるため、その部分は黒っぽく見える。したがって、反射／透過の組み合わせによりコントラストが生じ、文字や単純な絵柄をモノクロ表示することができる。
【０００５】
コレステリック液晶の注目すべき特性として、メモリ性を有している点が挙げられる。つまり、特定画素への通電によって表示を切換えた後は、通電を断ってもその表示状態が継続される。ＰＮ液晶は、メモリ性がないため表示の維持には通電し続ける必要があるが、発光を伴わないため消費電力はごく少なくて済み、また高コントラストを実現できるという利点がある。
【０００６】
【特許文献１】特開2004-125962号公報
【特許文献２】特開2004-127662号公報
【特許文献３】特開2003-140114号公報
【特許文献４】特開2003-098541号公報
【発明の開示】
【発明が解決しようとする課題】
【０００７】
上述した発光型の表示装置は、カラー表示や階調表現が可能なため画像や動画の表示に適している反面、表示状態を維持するには素子に通電し続ける必要があり、加えて素子やバックライトの発光を伴うため、電力消費が甚だしい。一方、外光利用型の表示装置は、表示の維持に電力を要しない（あるいは少量の電力で済む）が、基本的にモノクロ表示に限定され、階調表現に乏しいため画像などの表示には向かない。
【課題を解決するための手段】
【０００８】
本発明に係る表示装置付き電子機器は、光の射出量を画素ごとに制御して発光表示を行う第１の表示形態と、外光を透過する透過状態と反射する反射状態とを画素ごとに設定して表示を行う第２の表示形態とが可能な表示装置と、電源オン時には少なくとも第１の表示形態での表示を許可し、電源オフ時には、第１の表示形態での表示を不可として第２の表示形態での表示を許可する表示制御手段とを具備する。
請求項２の発明は、電源オフ時であって前記第２の表示形態における表示内容を更新するときに、当該第２の表示形態で表示を行う表示部に電力を供給することを特徴とする請求項１に記載の表示装置付き電子機器。
請求項３，４の発明は、電源オン時には前記第１の表示形態で表示を行い、電源のオフ操作がなされると、第２の表示形態に切換えて表示を行うものである。特に請求項３の発明は、第２の表示形態での表示時に電源のオン操作がなされると、第１の表示形態に切換えて表示を行う。
請求項５の発明に係る表示装置付き電子機器は、上記表示装置と、第１の表示形態での表示時に、何らの操作もなされない状態が所定時間継続すると、第２の表示形態に切換えて表示を行う表示制御手段とを具備する。
請求項６の発明に係る表示装置付き電子機器は、上記表示装置と、第２の表示形態での表示時に何らかの操作が行われると、第１の表示形態に切換えて表示を行う表示制御手段とを具備する。
請求項７の発明に係る表示装置付き電子機器は、上記表示装置と、動作モードを設定する設定手段と、設定手段によって設定された動作モードに応じて、表示装置による表示形態を第１の表示形態と第２の表示形態とで切換える表示制御手段とを具備する。
請求項８の発明に係る表示装置付き電子機器は、上記表示装置と、表示装置に表示する表示コンテンツに応じて、表示装置による表示形態を第１の表示形態と第２の表示形態とで切換える表示制御手段とを具備する。
請求項９の発明に係る表示装置付き電子機器は、上記表示装置と、予め設定された時間帯では第２の表示形態による表示を不可として第１の表示形態による表示を許可し、それ以外の時間帯では第１または第２の表示形態での表示を許可する表示制御手段とを具備する。
請求項１０の発明では、第１の表示形態における表示内容が画像を含む。
請求項１１の発明では、第２の表示形態における表示内容が、日付、時刻、バッテリ残量、メニュー情報、ユーザの入力情報の少なくともいずれか１つを含む。
請求項１２の発明では、撮影機能を備え、第２の表示形態における表示内容が、撮影履歴、撮影条件、撮影画像の少なくともいずれか１つを含む。
請求項１３，１４の発明では、通信機能を備え、第２の表示形態における表示内容は、通信により得た情報を含む。特に請求項１２の発明では、第２の表示形態における表示内容を所定時間ごとに更新する。
請求項１５の発明では、第２の表示形態による表示が、同一内容の表示の継続に電力を要しない。
請求項１６の発明では、第１の表示形態によりカラー表示が可能である。
請求項１７の発明では、上記表示装置は、光の射出量を画素ごとに制御して発光表示を行う第１の表示部と、外光を透過する透過状態と少なくとも一部を反射する反射状態とが画素ごとに設定可能とされ、透過領域と反射領域との組み合わせで表示を行う第２の表示部とを有し、第２の表示部の透過領域を通して第１の表示部を視認し得るよう該第１の表示部に該第２の表示部を積層して成り、第１の表示形態は、第１の表示部で表示を行うとともに、少なくともその表示領域に対応する第２の表示部の領域を透過領域とすることで達成され、第２の表示形態は、第２の表示部で表示を行うとともに、第１の表示部の全画素を非射出状態とすることで達成される。
【発明の効果】
【０００９】
請求項１の発明によれば、光の射出量を画素ごとに制御して発光表示を行う第１の表示形態と、外光を透過する透過状態と反射する反射状態とを画素ごとに設定して表示を行う第２の表示形態とが可能な表示装置を備え、電源オン時には少なくとも第１の表示形態での表示を許可し、電源オフ時には、第１の表示形態での表示を不可として第２の表示形態での表示を許可するようにしたので、電源オン時は発光表示によって視認性の高い表示がなされ、電源オフ時には外光を利用した消費電力の少ない表示が可能となる。この電源オフ時の表示により、従来は電源をオンしないと確認できなかった情報が電源オフのままでも確認でき、利便性が高まる。
請求項５の発明によれば、第１の表示形態での表示時に、何らの操作もなされない状態が所定時間継続すると、前記第２の表示形態に切換えて表示を行うようにしたので、オートパワーオフ状態や待ち受け状態においても消費電力の少ない表示が可能となり、上述と同様に利便性が高まる。
請求項６の発明によれば、第２の表示形態での表示時に何らかの操作が行われると、第１の表示形態に切換えて表示を行うようにしたので、使用者の意志に応じて発光表示による視認性の高い表示に切換えることができる。
請求項７の発明によれば、動作モードに応じて表示装置による表示形態を第１の表示形態と第２の表示形態とで切換えるようにしたので、省電力を考慮しつつ動作モードに適した表示を実現できる。
請求項８の発明によれば、表示装置に表示する表示コンテンツに応じて、表示装置による表示形態を第１の表示形態と第２の表示形態とで切換えるようにしたので、省電力を考慮しつつ表示コンテンツに適した表示を実現できる。
請求項９の発明によれば、予め設定された時間帯では第２の表示形態による表示を禁止して第１の表示形態による表示を許可し、それ以外の時間帯では第１，第２の表示形態での表示を許可するようにしたので、周囲が暗くて第２の表示形態による表示が見づらい時間帯に、第１の表示形態（発光表示）によって表示を明確に視認できる。
【発明を実施するための最良の形態】
【００１０】
−第１の実施形態−
図１〜図１８により本発明をデジタルカメラに適用した場合の第１の実施形態を説明する。
図１６〜図１８は本実施形態におけるデジタルカメラの上面図、背面図および正面図である。カメラ上面には、電源スイッチ（メインスイッチ）９１、撮像の開始を指示するレリーズボタン９２、操作ダイアル９３などが設けられるとともに、カメラ前面には撮影レンズ９４、閃光装置の発光窓９５、ファインダの対物窓９６などが設けられ、さらにカメラ背面には、複数の操作部材９７および表示装置１００が設けられている。なお、コンパクトタイプのデジタルカメラを示したが、一眼レフタイプのデジタルカメラでもよい。
【００１１】
表示装置１００について詳述する。
図１〜図３に示すように、表示装置１００は２つの表示モジュール１０，２０を積層して成る２層式表示装置である。下側の表示モジュール１０は、画像表示に適しているので画像表示モジュールと呼び、上側の表示モジュール２０は文字表示に適しているので文字表示モジュールと呼ぶ。
画像表示モジュール１０，文字表示モジュール２０には、各々フレキシブルプリント基板１５０，１５１を介して表示データとともに表示のための制御信号などが伝送される。
【００１２】
画像表示モジュール１０は、例えばＳＴＮ液晶を用いたＴＦＴ方式の液晶表示モジュールであり、公知のように液晶１１を封入した２枚のガラス基板１２と、基板１２を挟んで配置される２枚の偏光板１３と、光源１４１を含むバックライト部１４と、不図示のカラーフィルタなどから成る。ガラス基板１２の内側に設けた透明電極（不図示）は、液晶を実質的にマトリクス状に分割し、分割された画素ごとに任意の電圧を印加できるよう配線され、これにより光の透過率を画素ごとに任意に設定できる。
【００１３】
バックライト部１４からの光は、透過状態にある画素を透過して上方に射出され、これにより表示が視認される。この表示方式は、透過率、換言すれば光の射出量を画素ごとに任意に制御できるため、豊かな階調表現が可能であり、しかもカラーフィルタを用いているので、写真画像や動画のフルカラー表示に適している。
【００１４】
一方、文字表示モジュール２０は、２枚のガラス基板２２にコレステリック液晶２１を封入して成る。不図示の透明電極は、マトリクス状に分割された画素ごとに電圧を印加できるよう配線され、これにより各画素は透過状態と反射状態とに切換可能とされる。この表示モジュール２０は外光を利用して表示を行うもので、反射領域に導かれた外光は拡散反射される。コレステリック液晶の場合、特定波長の光が反射されるので、その反射光を例えば緑色、赤色、青色、黄色となるように構成することができる。以下では、反射光を黄色とした例について説明するが、その他の色であっても構わない。また透過領域に導かれた光は液晶層２１を透過して下方に導かれるので、下部に黒色板等の吸収層を配置することで黒っぽく見せることができる。
【００１５】
したがって、文字表示モジュール２０において、例えば表示したい文字部分を透過状態とし、その周囲を反射状態とすれば黄色地に黒い文字を表示させることができる。逆に文字部分を反射状態とし、その周囲を透過状態とすれば、黒地に黄色い文字を表示させることができる。この表示方式は、一般にモノクロ表示に限定され、また多くの階調表現は望めないので、写真画像や動画には向かない。しかし、背景技術でも述べたように、コレステリック液晶はメモリ性を有しているので、電源を切っても表示状態を維持でき、大幅な省電力に寄与する。
【００１６】
文字表示モジュール２０は、下側のガラス基板２２が画像表示モジュール１０の上側の偏光板１３に略密着するように重ね合わされ、各々のモジュール１０，２０の表示画面が完全に重なって１つの画面１００ａを構成する。
【００１７】
図４は表示制御に関する制御ブロック図を示し、主要な構成のみ図示してある。撮像装置３７は、撮像素子、Ａ／Ｄ変換回路、画像信号処理回路、記録回路などから構成され、撮像素子の光電変換出力に基づいて画像データを生成し、これをメモリカードＭＣに記録する。駆動回路３２は、上述した画像表示モジュール１０を駆動制御するもので、透明電極を介して液晶を駆動する液晶駆動回路３２ａと、バックライト部１４を制御するバックライト制御部３２ｂとから成る。液晶駆動回路３３は、文字表示モジュール２０を駆動制御する。また装置全体の制御を司る制御手段（回路）であるＣＰＵ３１には、電源スイッチ９１やレリーズスイッチなどを含む操作部３４および時計３５も接続される。ＣＰＵ３１や各回路はバッテリＢＴから給電を受ける。
【００１８】
次に、表示装置１００による表示原理について説明する。
＜基本的な表示＞
表示装置１００で画像を表示するには、図５に示すように画像表示モジュール１０で目的とする画像を表示し、バックライト部１４をオン（点灯状態）とする一方、文字表示モジュール２０の全画素を透過（透明）状態とする。これにより画像表示モジュール１０から発した表示光は、透過状態にある文字表示モジュール２０を透過して視認される。したがって、画像表示モジュール１０を単体で用いたときと同等の表示が実現される。ここで、文字表示モジュール２０の全画素を透過状態とした後は、文字表示モジュール２０への通電を断ってもその状態が維持されるので、継続して電力消費を伴うのは画像表示モジュール１０のみである。
【００１９】
一方、文字表示を行う場合には、図６に示すように文字表示モジュール２０で表示したい文字部分を透過状態、その周囲を反射状態とするとともに、画像表示モジュール１０は、液晶部およびバックライト部ともに非通電（オフ）とする。非通電により画像表示モジュール１０の全画素は非射出状態（黒色化）するため、文字表示モジュール２０の透過部分（文字部）を透過した光がその黒色化部分で吸収され、その部分を黒く表示することができる。つまりオフ状態の画像表示モジュール１０は、文字表示モジュール２０に必要な吸収層としての役割を果たすことになり、上述した黒色板等を別途設ける必要はない。また、文字表示モジュール２０の反射部分（文字の背景部分）は、拡散反射による黄色表示となるから、黄色地に黒文字が表示される。
【００２０】
上記の文字表示において、文字表示モジュール２０での表示後は通電を切っても表示が継続し、また画像表示モジュール１０はもともとオフ状態であるから、電力消費量は極めて少なくて済む。因みに、同様の文字表示を画像表示モジュール１０にて行うことも可能であるが、この場合は表示の維持に電力を必要とするため、不経済である。
【００２１】
＜混在表示＞
次に、画面１００ａの一部に画像を、他の部分に文字を同時に表示することを考える。例えば、画面上半分に表示された画像に関する情報を下半分に文字表示するようなケースである。この場合は、図７に示すように、画像表示モジュール１０の上半分に画像を表示し、下半分は黒表示状態とする。一方、文字表示モジュール２０においては、上半分を透過状態とし、下半分は文字部分を透過状態、それ以外を反射状態とする。このようにすることで、画面上半分では画像表示モジュール１０による画像が文字表示モジュール２０の透過部分を通して視認でき、下半分では文字表示モジュール２０による文字表示（黄色地に黒文字）が視認できる。また、画像表示モジュールとして有機ＥＬなどの自己発光素子を用いた場合は、画像表示モジュール１０の下半分はオフでよいため、画像表示モジュール単体で同様の表示を行った場合と比べで消費電力は半分で済む。なお、画像表示領域と文字表示領域の数や位置、大きさを任意に変更できることはいうまでもない。
【００２２】
＜文字のカラー表示＞
文字表示モジュール単体では文字のカラー表示はできないが、画像表示モジュール１０との組み合わせによりカラー表示が可能となる。例えば文字を赤色で表示したい場合、図８に示すように文字表示モジュール２０の文字部分を透過状態、他の部分を反射状態とする。画像表示モジュール１０においては、上記文字部分に相当する箇所、あるいは文字相当箇所を含む所定領域を赤色とするとともに、他は黒色表示とし、バックライトはオンとする。このようにすることで、文字表示モジュール１０の透過部分（文字部分）を通して画像表示モジュール１０の赤が視認できるので、黄色地に赤の文字が表示されることになる。赤に限らず任意の色の文字を表示でき、表示項目ごと、あるいは文字ごとに色を変えることも容易である。
【００２３】
上記の表示原理をデジタルカメラに適用した場合の表示例を説明する。
デジタルカメラは、電源スイッチ９１のオン操作に伴って電源オン状態に、オフ操作で電源オフ状態になる。電源オフ状態では、時計３５による時計機能を実現するための計時回路やＣＰＵ３１など一部を除く殆どの回路への給電が断たれ、もちろん撮影は禁止される。またカメラはオートパワーオフ機能を備え、電源オン状態で何らの操作もなされない状態が一定時間継続すると、電力の消耗を抑えるために自動的に電源オフ状態となる。オートパワーオフ状態で何らかの操作（例えば、半押し操作）を行うと、電源オン状態に復帰する。
【００２４】
オートパワーオフについてより詳しく説明すると、ＣＰＵ３１、時計３５、操作部３４、操作検出回路３１０、スイッチ制御回路３１２には、電源スイッチ９１の操作状態に拘わらず、バッテリＢＴより常に電力が供給されている。この状態は、電源スイッチ９１による電源のオフ操作がなされた際の電源オフ状態と同じ状態である。電源オン状態においては、ＣＰＵ３１、時計３５、操作部３４、操作検出回路３１０、スイッチ制御回路３１２に加えて、スイッチ３１３を介してその他の回路にも電力が供給されている。電源オン状態において、時計３５は操作部３４によって何らの操作も継続してなされない時間を計測し、計測した時間が予め定められた所定時間以上となると、ＣＰＵ３１のスイッチ制御回路３１２によって、スイッチ３１３を開状態として、上記その他の回路への電力の供給を遮断する。なお、その他の回路への電源供給を継続しつつ、その他の回路の動作状態を制御する制御入力端子を介してその他の回路の動作をスタンバイ状態（スリープ状態）とするものであってもよい。このような制御を行うことによっても消費電力を低減することができる。
【００２５】
オートパワーオフ状態で操作検出回路３１０は、操作部３４の操作部材が操作がなされたことを検出すると、スイッチ制御回路３１２によってスイッチ３１３を閉状態とし、その他の回路へ電源を供給する。電源の供給に代えて、上述の制御入力端子への電源入力によってその他の回路の動作をスタンバイ状態（スリープ状態）からアクティブ状態にするものであってもよい。
【００２６】
＜電源オン時＞
カメラは電源オンに伴って撮像を開始し、繰り返し撮像される画像を表示装置１００に逐次更新表示する（スルー画表示）。これにより表示装置１００をファインダ代わりに使用することができる。レリーズ操作がなされると、メモリカードＭＣへの記録を目的とした撮像を行い、撮像された画像を所定時間だけ表示装置１００に表示する（フリーズ画表示）。さらに、操作によって再生モードを設定することで、メモリカードＭＣに記録された画像を読み出して表示装置１００に表示することも可能である（再生画表示）。この再生画表示では、１画像表示の他に、１画面に複数画像をサムネイル表示することができる。そして、これらスルー画表示，フリーズ画表示および再生画表示は、いずれも図５で説明した表示形態でなされる。
【００２７】
また、画像と画像情報（撮影日付や撮影データなど）とを同時に表示する場合には、図７で説明した表示形態を用いることができる。さらに、画像以外にカスタム設定などのメニュー表示も可能であり、表示を見ながら種々の設定を行うことができる。メニュー表示では、視認性を良好にする上でカラー表示が適しているため、通常は図５に示す表示形態で行われる。ただし、バッテリ残量が少ないときなどには、図６，図７に示す方式で行ってもよい。例えばバッテリチェック機能を利用し、バッテリ残量が所定値を下回ると、図５の表示形態から図６または図７の表示形態に自動的に切換わるようにすると便利である。ユーザの操作によって表示形態を切換えられるようにしてもよい。
【００２８】
＜電源オフ時＞
従来カメラは、電源オフ状態（オートパワーオフ状態も含む）では、電力の消耗を抑えるために表示装置への給電を断ち、何も表示しないのが普通である。しかし、本実施形態のカメラでは、文字表示モジュール２０を用いることで、表示の更新時以外は電力消費を伴わずに表示の継続が可能なため、電源オフ状態でも文字表示モジュール２０による表示を行う。すなわちＣＰＵ３１は、電源スイッチ９１のオフ操作、あるいはオートパワーオフ待ち時間の満了に伴い、自動的に図６の表示形態に切換え、予め設定された表示コンテンツを表示し、しかる後に電源をオフする。これによれば、従来は電源をオンしないと確認できなかった情報が電源オフのままでも確認でき、カメラの使い勝手が向上する。
電源オフ状態からオン状態に復帰すると、上述した電源オン時の表示形態に自動的に切換わる。
【００２９】
次に、電源オフ時における表示例を図９〜図１５に示す。
図９は電源オフ時に現在の日付および時刻を文字表示モジュール２０により表示する例を示している。電源オフ時でも時計３５は作動しているので、時計３５からの情報に基づいて時刻表示が行える。図のような時分表示の場合、１分に１回表示の更新を行うため表示の更新時に文字表示モジュール２０への電力の供給が必要となるが、その更新時以外は電力を消耗しないので、表示にかかる電力は極めて少なくて済む。また本例では、画面の下に電源オフ状態である旨が文字表示される。ユーザは、画面に日付などの表示がなされていることで電源オンと勘違いしがちであるが、電源オフの旨を表示しておくことで勘違いのおそれはなくなる。例えば、「撮影するには電源をオンしてください」のような表示でもよい。
【００３０】
図１０は電源オフ時に撮影履歴を文字表示モジュール２０により表示する例を示している。ここでは履歴情報として、撮影によって生成され記録された画像ファイルのファイル名と、撮影日付と、撮影時刻とを表形式で表示する。複数の画像ファイルのうち最新の幾つかが表示される。新しいファイルほど上になるような表示でもよい。次に撮影を行うまで履歴情報が変化することはないため、電源オフ時の表示にかかる消費電力は実質ゼロである。なお、画面右下の絵文字は、電源のオンを促す（現在は電源オフ状態であることを示す）ものである。
【００３１】
図１１は電源オフ時に設定されている撮影条件およびバッテリ残量を文字表示モジュール２０により表示する例を示している。ここでは撮影条件として、現在の画質モード、撮影モード、スピードライト情報、測光モード、撮影可能駒数などを文字あるいは絵柄で表示する。これ以外にも、設定絞り値や設定シャッタ秒時などを表示してもよい。これらの情報も電源オフ時に変化することはないので、電源オフ時の表示にかかる消費電力は実質ゼロである。なお、撮影可能駒数に関しては、メモリカードの入れ替えにより変化する可能性があるので、入れ替え時に表示を更新してもよい。
【００３２】
図１２は電源オフ時にカメラの各種メニューを文字表示モジュール２０により表示する例を示している。メニューには、画像再生に関する再生メニュー、画像編集に関する画像編集メニュー、Ｈｅｌｐメニューなどがある。予めユーザによって選択されたいずれかのメニューを表示してもよいし、図示のように複数の項目を表示し、その中からユーザが選択できるようにしてもよい。またユーザが予め入力したスケジュール情報やメモ書き等を表示できるようにしてもよい。これらの表示では、表示内容を変更したりスクロールさせるとき以外は電力を必要としない。
【００３３】
図１３，図１４は電源オフ時に既に撮影した画像を文字表示モジュール２０により表示する例であり、図１３は１画像表示を、図１４は４画像のサムネイル表示を行う例をそれぞれ示している。いずれの場合も最近の撮影画像を表示することで、電源をオンすることなく前回の撮影内容や撮影場所等が分かり、便利である。なお、上述したように文字表示モジュール２０はモノクロ表示であり、かつ階調表現に乏しいため画像表示には向かないが、何が写っているかさえ確認できればよいので、特に問題はない。
【００３４】
上述した幾つかの表示内容を組み合わせて表示してもよい。例えば図１５は画面を３領域に分割し、それぞれに最近の画像およびその撮影年月日時分、撮影履歴、カメラの設定情報を表示する例を示している。その他の組み合わせでもよい。
【００３５】
上記以外にも、例えばカメラに電子ブックとしての機能（電子ブック閲覧モード）を持たせることも可能である。操作部３４の操作によって電子ブック閲覧モードに設定された場合は、メモリカードＭＣを利用して電子ブックのコンテンツを導入するようにすればよい。電子ブックとしての利用は電源のオン・オフに拘わらず使用できるようにしてもよいが、電源オフに限定すれば、例えばズームアップ／ダウンボタンをページ送り／戻しボタンとして使用することもできる。
【００３６】
電子ブック閲覧モードが設定され、電源がオフ状態の場合には、スイッチ制御回路３１２は、操作部３４のズームアップ／ダウンボタンが操作されても、スイッチ３１３の開状態を保持するように制御する。この状態においてもズームアップ／ダウンボタンが操作されて、文字表示モジュール２０による表示を更新するときのみ、文字表示モジュール２０に電力が供給される。なお、電子ブック閲覧モードが設定され、電子ブックコンテンツの表示が指示されると、電源スイッチ９１の状態に拘わらず、文字表示モジュール２０による表示に自動的に切換えるように構成してもよい。このように構成することによっても装置の電力消費を低減することができる。
【００３７】
カメラは図９〜図１５の表示機能を全て備え、予めユーザがいずれを表示するかを設定できるようにすることが望ましい。いずれの表示が選択された場合でも、表示スペースに余裕があれば、図９，図１０に示したように電源オフの旨を明示することが望ましい。なお、少なくともいずれか１つの表示機能のみを持つものでもよい。
なお、上記実施形態においては、電源オフ状態として、計時回路やＣＰＵ３１など一部を除く回路への給電を遮断する例について説明したが、装置内の全ての回路への給電を遮断する構成としても、コレステリック液晶などを用いた記憶型表示素子を用いることで、電源オフ時にも表示を継続できる。
【００３８】
−第２の実施形態−
次に、本発明を携帯電話機に適用した場合の第２の実施形態を説明する。
図１９に示す携帯電話機は、メインの表示装置１００Ａに加えて背面にも表示装置１００Ｂを有し、その双方が図１〜図３で説明した２層式の表示装置とされる。なお、いずれか一方が２層式でもよい。
【００３９】
図２０は上記携帯電話機の制御系を示すブロック図である。携帯電話機の動作全体を司る制御手段（回路）であるＣＰＵ１０１には、上記表示装置１００Ａ，１００Ｂと、メモリ１０２と、外部インターフェイス（Ｉ／Ｆ）１０８と、バッテリ１０９と、通信制御部１１０と、時計１１１と、操作部１１２とが接続されている。
【００４０】
操作部材１１２は、電話機のダイヤルボタンなどを含み、押下されたボタンに対応する操作信号をＣＰＵ１０１へ送出する。通信制御部１１０は、アンテナ１１０Ａおよび無線送受信回路を含み、ＣＰＵ１０１の指令により不図示の基地局を介して他の電話機との間で音声通信を行う。電話音声以外にも、カメラ機能を用いて撮影された画像データなどが送受信可能である。１０５は着脱可能なメモリカードであり、ＣＰＵ１０１は、メモリカード１０５に画像データ等を記録したり、読み出すことが可能である。外部インターフェイス１０８は、ＣＰＵ１０１の指令により不図示のケーブルまたはクレードルを介して外部機器との間でデータを送受信する。
【００４１】
ＣＰＵ１０１、時計１１１、操作部１１２、操作検出回路１０１Ａ、スイッチ制御回路１０１Ｂには、バッテリ１０９より常に電力が供給されている。待ち受け時以外は、ＣＰＵ１０１、時計１１１、操作部１１２、操作検出回路１０１Ａ、スイッチ制御回路１０１Ｂに加えて、スイッチ１２０を介してその他の回路にも電力が供給されている。この状態で、時計１１１は操作部１１２によって何らの操作も継続してなされない時間を計測し、計測した時間が予め定められた所定時間以上となると、ＣＰＵ１０１のスイッチ制御回路１０１Ｂによって、スイッチ１２０を開状態として、上記その他の回路への電力の供給を遮断する。
【００４２】
通常使用時には、画像表示モジュール１０を用い、図５の表示形態で種々の表示を行う。表示コンテンツとしては、基本的な電話操作画面や設定画面の他に、オンラインサービスモードを備えたものでは、Ｗｅｂコンテンツ（ホームページ、画像、動画）やメール操作画面、また撮影機能を備えたものでは、撮影した静止画像、動画像、さらには通信相手先の携帯電話機から送信された静止画像、動画像や文字データなどがある。画像表示モジュール１０を用いることで、フルカラー表示が可能であり、また画面の切換えやスクロールを高速で行うことができる。
【００４３】
上述したように、何らの操作もなされない状態が所定時間継続すると、携帯電話機はＣＰＵ１０１の制御によって自動的に待ち受け状態となるが、表示制御手段であるＣＰＵ１０１は、この待ち受け状態への移行に伴って図６の表示形態に切換え、予め設定された表示コンテンツを文字表示モジュール２０にて表示する。上述したように、図６の表示形態によれば最小限の電力消費で済む。待ち受け状態で何らかの操作がなされると、自動的に図５の表示形態に戻る。
【００４４】
図１９（ａ）は、待ち受け時の表示コンテンツとして、日付および時刻表示に加えて、予め入力したスケジュールを表示する例を示している。スケジュール表示は、時刻の経過とともに表示を更新する（繰り上げる）必要があるが、これは例えば１時間あるいは３０分に１回程度としてもよい。待ち受け状態においては、時計１１１には常時電力を供給して計時動作を行い、文字表示モジュール２０には、３０分あるいは１時間毎に１回程度の表示変更時にのみ電力を供給する。
【００４５】
図１９（ｃ）は待ち受け時に背面の表示装置１００Ｂに日付およびその日のニュースを表示する例を示している。これは、オンラインサービスモードを用いてニュースサイトにアクセスし、最新情報をダウンロードして表示することで達成できる。ダウンロードおよび表示の更新が数時間おきに自動で行われるようにすることで、待ち受け状態のまま常に最新のニュースを確認できる。更新間隔をユーザが設定できるようにしてもよい。
【００４６】
待ち受け状態においては、オンラインサービス情報をダウンロードするために、通信制御部１１０に数時間おきに電力が供給されるようにし、これに同期してダウンロードした情報内容を表示装置１００Ｂの文字表示モジュール２０に更新表示させるための電力を供給する。また、オンラインサービスモード時には、特定の操作部材の操作によっても待ち受け状態を維持する構成とすれば、特定の操作部材の操作によってユーザが所望するときに最新情報のダウンロードおよび文字表示モジュール２０の表示の更新を低消費電力で実現できる。なお、オンラインサービスモードが設定され、オンラインサービスコンテンツの表示が指示されると、待ち受け状態であるか否かに拘わらず、文字表示モジュール２０による表示に自動的に切換えるように構成してもよい。このように構成することによっても装置の電力消費を低減することができる。
【００４７】
ところで、文字表示モジュール２０は外光を利用して表示を行う性質上、周囲が暗いと表示が見づらく、暗闇では表示が確認できない。そこで、周囲が暗いと考えられる時間帯は、文字表示モジュール２０による表示は不可とし、あらゆる表示を画像表示モジュール１０で（図５の表示形態で）行えるようにしてもよい。かかる時間帯はユーザの生活様式で異なるため、ユーザが時間帯を予め設定できるようにすることが望ましい。例えば、「深夜０：００〜５：００」のように入力すると、その時間帯は文字表示モジュール２０による表示が不可となり、画像表示モジュール１０で表示がなされるようにすればよい。逆に周囲が明るいと想定される時間帯（例えば、７：００〜１７：００）は、表示モジュール２０での表示をデフォルトの設定としてもよい。
【００４８】
次に、表示装置の変形例を示す。
図２１に示す表示装置は、画像表示モジュールとして、前述の液晶モジュールに代えて有機ＥＬモジュール５０を用いたものである。有機ＥＬモジュール５０は、公知のように駆動基板５１と、基板５１上にマトリクス状にパターン配列された複数の有機ＥＬ素子から成る発光層５２と、発光層５２を覆うガラス板５３と、不図示のカラーフィルタなどから構成される。表示データ等は、例えばフレキシブルプリント基板１５２によって伝送される。素子自体が発光するためバックライトは不要であり、液晶モジュールと比べて薄型化が図れる。この場合も素子ごとに発光量を制御することで光の射出量を画素ごとに制御でき、またカラーフィルタが設けられているため、液晶モジュールと同様に画像や動画のフルカラー表示に適している。また画素を非発光とすれば黒色化するため、文字表示モジュール２０の透過領域を透過した光を吸収し、その領域を黒く見せることができる。したがって、先の実施形態と同様の使い方が可能である。なお、無機ＥＬ素子を用いたものでもよい。
【００４９】
図２２は、１枚のガラス基板を画像表示モジュールと文字表示モジュールとで兼用した例を示している。すなわち、図のガラス基板６１は、画像表示モジュール（液晶モジュール）の上側のガラス基板と、文字表示モジュールの下側のガラス基板とを兼用している。ガラス基板６１の下面側には画像表示モジュール用の透明電極部が、上面側には文字表示モジュール用の透明電極部がそれぞれ形成される。この場合、画像表示モジュールの上側の偏光板１３は、文字表示モジュールの上面に配置される。さらに図２３は、画像表示モジュール（有機ＥＬモジュール）の上側のガラス基板と、文字表示モジュールの下側のガラス基板とを１枚のガラス基板６２で兼用した例を示している。
このようにガラス基板を２つの表示モジュールで兼用することで、上述と同様の作用効果を奏しつつ、ガラス基板が１枚少なくて済み、部品点数の低減および薄型化が図れる。
【００５０】
なお、文字表示モジュールの表示素子としてコレステリック液晶を用いた例を示したが、ＰＮ（ポリマーネットワーク）液晶を用いてもよい。ＰＮ液晶も画素ごとに透過状態／反射状態を設定して表示を行うものであるから、上述と同様の使い方ができる。ただし、メモリ性がないため表示の維持には通電し続ける必要があるが、発光を伴わないため消費電力はごく少なくて済み、画像表示モジュールで全ての表示を賄う場合と比べて省電力に寄与する。
【００５１】
また、ＰＮ液晶の場合は、前述の反射光が白色光となるため、白黒の表示が可能である。つまりコレステリック液晶で説明した黄色表示を白色表示（白文字や白地）とすることができ、より高コントラストを実現できる。
【００５２】
以上では、電子機器としてデジタルカメラおよび携帯電話機を示したが、それ以外の電子機器、例えばＰＤＡや電子ブックを含む各種ポータブル機器、あるいはモバイル式のパーソナルコンピュータなどにも本発明を適用できる。
【図面の簡単な説明】
【００５３】
【図１】本発明の一実施形態における表示装置の平面図。
【図２】上記表示装置の断面図。
【図３】図２の部分拡大図。
【図４】表示装置の制御ブロック図。
【図５】画像を表示するときの表示形態を示す図。
【図６】文字を表示するときの表示形態を示す図。
【図７】画像と文字とを同時表示するときの表示形態を示す図。
【図８】色つき文字を表示するときの表示形態を示す図。
【図９】電源オフ時の表示例を示す図で、日付および時刻を表示した例を示す。
【図１０】図９と同様の図で、撮影履歴を表示した例を示す。
【図１１】図９と同様の図で、撮影条件等を表示した例を示す。
【図１２】図９と同様の図で、メニュー項目を表示した例を示す。
【図１３】図９と同様の図で、１画像を表示した例を示す。
【図１４】図９と同様の図で、複数画像をサムネイル表示した例を示す。
【図１５】図９と同様の図で、複数種類の表示を同時に行った例を示す。
【図１６】表示装置が搭載されるデジタルカメラの上面図。
【図１７】上記デジタルカメラの背面図。
【図１８】上記デジタルカメラの正面図。
【図１９】表示装置が搭載される携帯電話機の正面図、側面図および背面図。
【図２０】携帯電話機の制御系のブロック図。
【図２１】表示装置の変形例を示す図。
【図２２】表示装置の更なる変形例を示す図。
【図２３】表示装置の更なる変形例を示す図。
【符号の説明】
【００５４】
１０  画像表示モジュール（液晶モジュール）
１１  液晶層
１２  ガラス基板
１３  偏光板
１４  バックライト部
２０  文字表示モジュール
２１  液晶層
２２  ガラス基板
３１  ＣＰＵ
３２  駆動回路
３２ａ，３３  液晶駆動回路
３２ｂ  バックライト制御部
３４  操作部
３５  時計
３７  撮像装置
５０  画像表示モジュール（有機ＥＬモジュール）
５１  基板５１
５２  発光層
５３  ガラス板
６１，６２  ガラス基板
９１  電源スイッチ
９２  レリーズボタン
９４  撮影レンズ
１００，１００Ａ，１００Ｂ  表示装置
１００ａ  表示画面
１４１  光源
１５０，１５１，１５２  フレキシブルプリント基板
ＢＴ  バッテリ
【図１】
2006208536.tif 000003
【図２】
2006208536.tif 000004
【図３】
2006208536.tif 000005
【図４】
2006208536.tif 000006
【図５】
2006208536.tif 000007
【図６】
2006208536.tif 000008
【図７】
2006208536.tif 000009
【図８】
2006208536.tif 000010
【図９】
2006208536.tif 000011
【図１０】
2006208536.tif 000012
【図１１】
2006208536.tif 000013
【図１２】
2006208536.tif 000014
【図１３】
2006208536.tif 000015
【図１４】
2006208536.tif 000016
【図１５】
2006208536.tif 000017
【図１６】
2006208536.tif 000018
【図１７】
2006208536.tif 000019
【図１８】
2006208536.tif 000020
【図１９】
2006208536.tif 000021
【図２０】
2006208536.tif 000022
【図２１】
2006208536.tif 000023
【図２２】
2006208536.tif 000024
【図２３】
2006208536.tif 000025